(57)【特許請求の範囲】
【請求項１】
潜熱回収式の熱交換器を備えた熱源機にて加熱された湯水を浴槽に供給する浴槽用湯水管と、
前記熱源機から排出されるドレンを前記浴槽側の排水箇所に導くドレン排水管とが設けられた風呂設備用配管構造であって、
前記浴槽用湯水管における熱源機側の端部に、熱源機側接続部と浴槽用湯水管側接続部とを内部通路にて連通させる状態で備える熱源機側継手が設けられ、且つ、前記浴槽用湯水管における浴槽側の端部に、浴槽側接続部と浴槽用湯水管側接続部とを内部通路にて連通させる浴槽側継手が設けられ、
前記熱源機側継手における前記熱源機側接続部と前記浴槽用湯水管側接続部との間の側壁部に、前記内部通路を外部に連通するドレン排水管挿通部が備えられ、
そのドレン排水管挿通部に、前記ドレン排水管を挿通した状態で水密状に封止する封止部材が備えられ、
前記浴槽側継手における前記浴槽側接続部と前記浴槽用湯水管側接続部との間の側壁部に、前記内部通路を外部に連通するドレン排水管挿通部が備えられ、
そのドレン排水管挿通部に、前記ドレン排水管を挿通した状態で水密状に封止する封止部材が備えられ、
前記ドレン排水管が、その熱源機側の端部が前記熱源機側継手のドレン排水管挿通部から外部に突出し且つその浴槽側の端部が前記浴槽側継手のドレン排水管挿通部から外部に突出する状態で、前記浴槽用湯水管内に位置するように設けられている風呂設備用配管構造。
【請求項２】
前記浴槽用湯水管側接続部及び前記ドレン排水管挿通部夫々が筒状に構成されて、夫々の筒軸芯が９０°よりも大きい角度で交差する形態で、前記熱源機側継手及び前記浴槽側継手に備えられている請求項１記載の風呂設備用配管構造。
【請求項３】
前記熱源機側継手及び前記浴槽側継手のうちの少なくとも一方には、前記ドレン排水管挿通部の内部通路側端部のうちで、前記内部通路の通路長手方向において前記浴槽用湯水管側接続部から離れる側に位置する部分から前記内部通路内に延びる状態でドレン排水管案内部が備えられている請求項２記載の風呂設備用配管構造。
【請求項４】
前記浴槽側継手における前記浴槽側接続部と前記浴槽用湯水管側接続部との間の箇所に、前記内部通路に連通する浴槽水排水部が備えられ、
その浴槽水排水部又はその浴槽水排水部に接続された浴槽水排水管に、電磁式の開閉弁が設けられている請求項１〜３のいずれか１項に記載の風呂設備用配管構造。
【請求項５】
請求項１〜４のいずれか１項に記載の風呂設備用配管構造のドレン排水管挿通方法であって、
屈曲自在で長尺状の挿通体の端部に前記浴槽用湯水管の内部空間を移動可能で且つ移動方向視での面積が前記挿通体の横断面積よりも大きい被押圧体を連結し、
前記被押圧体を前記浴槽用湯水管又は前記熱源機側継手の熱源機側の端部からそれの内部空間に入れた状態で、前記熱源機から前記浴槽側に前記浴槽用湯水管を通して湯水を供給し、その供給する湯水の水圧にて前記被押圧体を浴槽側に移動させて、前記浴槽用湯水管内に前記挿通体を挿通し、
前記挿通体の端部に前記ドレン用排水管を接続し、前記挿通体の前記ドレン用排水管を接続した側とは反対側の端部を引き操作して、前記浴槽用湯水管内に前記ドレン用排水管を挿通させる風呂設備用配管構造のドレン排水管挿通方法。
【請求項６】
請求項１〜４のいずれか１項に記載の風呂設備用配管構造のドレン排水管挿通方法であって、
屈曲自在で長尺状の先挿通体の端部に前記浴槽用湯水管の内部空間を移動可能で且つ移動方向視での面積が前記先挿通体の横断面積よりも大きい被押圧体を連結し、
前記被押圧体を前記浴槽用湯水管又は前記熱源機側継手の熱源機側の端部からそれの内部空間に入れた状態で、前記熱源機から前記浴槽側に前記浴槽用湯水管を通して湯水を供給し、その供給する湯水の水圧にて前記被押圧体を浴槽側に移動させて、前記浴槽用湯水管内に前記先挿通体を挿通し、
前記先挿通体の端部にこの先挿通体よりも引張り強さが大きい屈曲自在で長尺状の後挿通体を接続し、前記先挿通体の前記後挿通体を接続した側とは反対側の端部を引き操作して、前記浴槽用湯水管内に前記後挿通体を挿通し、
前記後挿通体の端部に前記ドレン用排水管を接続し、前記後挿通体の前記ドレン用排水管を接続した側とは反対側の端部を引き操作して、前記浴槽用湯水管内に前記ドレン用排水管を挿通させる風呂設備用配管構造のドレン排水管挿通方法。
【請求項７】
前記浴槽用湯水管の熱源機側の端部と前記熱源機側の接続部との間の管路部分に装着自在な中間装着体に回転自在な回転軸を設け、
前記中間装着体の回転軸に前記先挿通体の前記被押圧体を接続した端部側とは反対側の部分を巻回する請求項５又は６記載の風呂設備用配管構造のドレン排水管挿通方法。
【請求項８】
前記中間装着部の外部に前記回転軸を回転操作する操作部が設けられている請求項７記載の風呂設備用配管構造のドレン排水管挿通方法。
【発明の詳細な説明】
【技術分野】
【０００１】
本発明は、潜熱回収式の熱交換器を備えた熱源機にて加熱された湯水を浴槽に供給する浴槽用湯水管と、
前記熱源機から排出されるドレンを前記浴槽側の排水箇所に導くドレン排水管とが設けられた風呂設備用配管構造に関する。
【背景技術】
【０００２】
潜熱回収式の熱交換器を備えた熱源機は、バーナの燃焼排ガスの潜熱をも回収して湯水を加熱するものであり、熱回収効率が優れたものであるが、潜熱回収式の熱交換器においては燃焼排ガスの潜熱が回収されるのに伴って凝縮水、所謂ドレンが発生するので、このような熱源機を備えた風呂設備では、熱源機にて加熱された湯水を浴槽に供給する浴槽用湯水管に加えて、ドレンを浴室側の排水箇所（例えば、浴室の床面に設けられた排水口）に導くドレン排水管を配管する必要がある。
【０００３】
そして、このような風呂設備用配管構造の従来例として、熱源機を通して浴槽の湯水を循環させる浴槽用往き管及び浴槽用戻り管が浴槽用湯水管として設けられ、それら浴槽用戻り管及び浴槽用往き管にドレン排水管を加えた３本の管を、ドレン排水管が浴槽用戻り管や浴槽用往き管の外部に位置する状態でさや管内に挿通した形態で配管する構造のものがあった（例えば、特許文献１参照。）。
【０００４】
浴槽用湯水管及びドレン排水管は、一般に、床下又は天井を通して配管されることになり、上記の従来の風呂設備用配管構造では、浴槽用湯水管としての浴槽用戻り管及び浴槽用往き管にドレン排水管を加えた３本の管をドレン排水管が浴槽用戻り管や浴槽用往き管の外部に位置する状態で挿通したさや管が、床下又は天井に配管されることになる。
【０００５】
ちなみに、前記特許文献１には、風呂設備用配管構造の別の従来例として、ドレンタンクからドレンを取り出すドレン取り出し管部分が前記浴槽用往き管における熱源機内に位置する部分に接続され且つドレンを排出するドレン排出管部分が前記浴槽用往き管における浴槽近くの部分に分岐接続されて、それらドレン取り出し管部分、浴槽用往き管の一部及びドレン排出管部分によりドレン排水管が構成され、前記ドレン取り出し管部分、前記ドレン排出管部分、及び、前記浴槽用往き管におけるドレン排出管部分の分岐箇所よりも浴槽側の部分の夫々に電磁式の開閉弁が設けられて、それら３個の開閉弁の開閉状態を制御することにより、浴槽用往き管及び浴槽用戻り管を通しての浴槽への湯水の供給や浴槽の湯水の循環とは別個にドレンの排水を行うように構成された構造が記載されている。
【０００６】
つまり、この風呂設備用配管構造の別の従来例は、浴槽用往き管の一部をドレン排水管の一部に兼用することにより、浴槽用戻り管及び浴槽用往き管の２本の管を配管するだけで、ドレンを浴槽側の排水箇所に導くことができるようにしたものであるが、３個の開閉弁を追加して設けるために風呂設備用配管構造の価格が高くなり、又、浴槽用往き管におけるドレン排水管に兼用される部分に残留しているドレンが浴槽に供給される虞があるので、実用化し難いものであり、ドレンの排水専用のドレン排水管を設ける必要があった。
【０００７】
【特許文献１】特開２００５−３３７７１０号公報
【発明の開示】
【発明が解決しようとする課題】
【０００８】
ところで、潜熱回収式の熱交換器を備えていない既設の熱源機を潜熱回収式の熱交換器を備えた熱源機に交換することがある。そして、既設の熱源機用として、一般には、浴槽用湯水管としての浴槽用戻り管及び浴槽用往き管がさや管に挿通された状態で床下又は天井に配管されている。
【０００９】
しかしながら、上述のように熱源機を交換する場合、従来の風呂設備用配管構造では、既設のさや管を撤去して、浴槽用戻り管、浴槽用往き管及びドレン排水管の３本の管をドレン排水管が浴槽用戻り管や浴槽用往き管の外部に位置する状態で挿通したさや管を、床下又は天井に配管することになるので、大掛かりな工事が必要となり、配管作業が困難なものであった。
説明を加えると、３本の管を挿通するための３本管用のさや管は２本の管を挿通するための２本管用のさや管に比べて径が太いので、その３本管用のさや管を敷設するために、新たに床材や壁材に孔をあける必要があり、又、既設の２本管用のさや管を撤去して、３本管用のさや管を敷設しなおす必要があり、大掛かりな工事が必要となって、配管作業が困難なものとなる。
【００１０】
本発明は、かかる実情に鑑みてなされたものであり、その目的は、潜熱回収式の熱交換器を備えていない既設の熱源機を潜熱回収式の熱交換器を備えた熱源機に交換するときの配管作業の容易化を図り得る風呂設備用配管構造を提供することにある。
【課題を解決するための手段】
【００１１】
本発明の風呂設備用配管構造は、潜熱回収式の熱交換器を備えた熱源機にて加熱された湯水を浴槽に供給する浴槽用湯水管と、
前記熱源機から排出されるドレンを前記浴槽側の排水箇所に導くドレン排水管とが設けられたものであって、
第１特徴構成は、前記浴槽用湯水管における熱源機側の端部に、熱源機側接続部と浴槽用湯水管側接続部とを内部通路にて連通させる状態で備える熱源機側継手が設けられ、且つ、前記浴槽用湯水管における浴槽側の端部に、浴槽側接続部と浴槽用湯水管側接続部とを内部通路にて連通させる浴槽側継手が設けられ、
前記熱源機側継手における前記熱源機側接続部と前記浴槽用湯水管側接続部との間の側壁部に、前記内部通路を外部に連通するドレン排水管挿通部が備えられ、
そのドレン排水管挿通部に、前記ドレン排水管を挿通した状態で水密状に封止する封止部材が備えられ、
前記浴槽側継手における前記浴槽側接続部と前記浴槽用湯水管側接続部との間の側壁部に、前記内部通路を外部に連通するドレン排水管挿通部が備えられ、
そのドレン排水管挿通部に、前記ドレン排水管を挿通した状態で水密状に封止する封止部材が備えられ、
前記ドレン排水管が、その熱源機側の端部が前記熱源機側継手のドレン排水管挿通部から外部に突出し且つその浴槽側の端部が前記浴槽側継手のドレン排水管挿通部から外部に突出する状態で、前記浴槽用湯水管内に位置するように設けられている点にある。
【００１２】
即ち、浴槽用湯水管の熱源機側の端部、浴槽側の端部がそれぞれ熱源機側継手の浴槽用湯水管側接続部、浴槽側継手の浴槽用湯水管側接続部に接続され、且つ、熱源機側継手の熱源機側接続部が熱源機に対して直接的にあるいは管部材等を介して間接的に接続され、浴槽側継手の浴槽側接続部が浴槽に対して直接的にあるいは管部材等を介して間接的に接続される状態で、浴槽用湯水管が熱源機と浴槽とにわたって設けられ、ドレン排水管が、その熱源機側の端部が熱源機側継手のドレン排水管挿通部から外部に突出し且つその浴槽側の端部が浴槽側継手のドレン排水管挿通部から外部に突出する状態で、浴槽用湯水管内に位置するように設けられ、熱源機側継手のドレン排水管挿通部及び浴槽側継手のドレン排水管挿通部の夫々が、ドレン排水管を挿通した状態で封止部材により水密状に封止される。
このように浴槽用湯水管及びドレン排水管が設けられることにより、熱源機にて加熱された湯水は、熱源機側継手の熱源機側接続部、内部通路、浴槽用湯水管側接続部を順に通過し、浴槽用湯水管とドレン排水管との間の環状の流路を通流して、浴槽用湯水管側接続部から浴槽側継手に流入し、その浴槽側継手の内部通路、浴槽側接続部を順に通過したのち浴槽に供給されることになり、熱源機から排出されたドレンは、浴槽用湯水管内に設けられたドレン排水管を通流して、浴槽側の排水箇所に導かれる。
【００１３】
そして、ドレン排水管が、その熱源機側の端部が熱源機側継手のドレン排水管挿通部から外部に突出し且つその浴槽側の端部が浴槽側継手のドレン排水管挿通部から外部に突出する状態で、浴槽用湯水管内に位置するように設けられる配管構造であるので、潜熱回収式の熱交換器を備えていない既設の熱源機を潜熱回収式の熱交換器を備えた熱源機に交換する場合は、既設の浴槽用湯水管を配管したままでその既設の浴槽用湯水管内にドレン排水管を設けることにより、ドレン排水管を床下又は天井に配管することができる。
【００１４】
例えば、既設の浴槽用湯水管を床下又は天井に配管したままで、その浴槽用湯水管の熱源機側の端部を熱源機側継手の浴槽用湯水管側接続部に接続し、並びに、その浴槽用湯水管の浴槽側の端部を浴槽側継手の浴槽用湯水管側接続部に接続し、続いて、ドレン排水管を熱源機側継手及び浴槽側継手のうちのいずれか一方の継手のドレン排水管挿通部から挿入してその継手の浴槽用湯水管側接続部及び浴槽用湯水管内を通過させ、更に、他方の継手の浴槽用湯水管側接続部を通過させてその継手のドレン排水管挿通部から突出させることにより、ドレン排水管を浴槽用湯水管内に位置する状態で床下又は天井に配管することができる。
あるいは、既設の浴槽用湯水管を床下又は天井に配管したままで、ドレン排水管をその両端が浴槽用湯水管から突出する状態で浴槽用湯水管内に挿通し、浴槽用湯水管の熱源機側の端部から突出しているドレン排水管を、熱源機側継手の浴槽湯水管側接続部から挿入してその浴槽湯水管側接続部を通過させて、ドレン排水管挿通部にその内部通路側から挿通したのち、浴槽用湯水管の熱源機側の端部を浴槽湯水管側接続部に接続し、並びに、浴槽用湯水管の浴槽側の端部から突出しているドレン排水管を、浴槽側継手の浴槽湯水管側接続部から挿入してその浴槽湯水管側接続部を通過させて、ドレン排水管挿通部にその内部通路側から挿通したのち、浴槽用湯水管の浴槽側の端部を浴槽湯水管側接続部に接続することにより、ドレン排水管を浴槽用湯水管内に位置する状態で床下又は天井に配管することができる。
【００１５】
上述のように、既設の浴槽用湯水管を配管したままでその既設の浴槽用湯水管内にドレン排水管を設けることにより、ドレン排水管を床下又は天井に配管することができるので、既設の浴槽用湯水管を撤去する必要がなく、又、床材や壁材に孔をあける必要もないので、大掛かりな工事が不要となり、配管作業を容易化することができる。
【００１６】
ちなみに、本発明による風呂設備用配管構造は、風呂設備を新規に設置する場合にも適用することができる。
例えば、浴槽用湯水管として浴槽用戻り管及び浴槽用往き管が設けられる場合、ドレン排水管はそれら浴槽用戻り管及び浴槽用往き管のうちのいずれか一方の内部に設けることになるので、さや管としては、浴槽用戻り管及び浴槽用往き管の２本の管を挿通する小径のものを使用することができるようになる。
つまり、本発明による風呂設備用配管構造は、特に、配管スペースが狭い等によりさや管の小径化が望まれる場合に好適である。
【００１７】
従って、潜熱回収式の熱交換器を備えていない既設の熱源機を潜熱回収式の熱交換器を備えた熱源機に交換するときの配管作業の容易化を図り得る風呂設備用配管構造を提供することができるようになった。
【００１８】
第２特徴構成は、上記第１特徴構成に加えて、
前記浴槽用湯水管側接続部及び前記ドレン排水管挿通部夫々が筒状に構成されて、夫々の筒軸芯が９０°よりも大きい角度で交差する形態で、前記熱源機側継手及び前記浴槽側継手に備えられている点にある。
【００１９】
即ち、熱源機側継手及び浴槽側継手には、筒状の浴槽用湯水管側接続部及び筒状のドレン排水管挿通部が夫々の筒軸芯が９０°よりも大きい角度で交差する形態で備えられているので、ドレン排水管を継手外部からドレン排水管挿通部を通過させて浴槽用湯水管側接続部に挿通するときは、ドレン排水管を９０°よりも大きい角度で緩やかに屈曲させながら浴槽用湯水管側接続部に挿通することになってその挿通を行い易く、又、ドレン排水管を浴槽用湯水管側接続部を通過させてドレン排水管挿通部にその内部通路側から挿通するときも、ドレン排水管を９０°よりも大きい角度で緩やかに屈曲させながらドレン排水管挿通部に挿通することになってその挿通を行い易く、配管作業をより一層容易化することができる。
そして、このように筒状の浴槽用湯水管側接続部と筒状のドレン排水管挿通部とを夫々の筒軸芯が９０°よりも大きい角度で交差する形態で熱源機側継手及び浴槽側継手に備えさせることにより、熱源機側継手には、熱源機側接続部、内部通路、浴槽用湯水管側接続部を直線状又は略直線状に連なる形態で備えさせることが可能となり、又、浴槽側継手には、浴槽側接続部、内部通路、浴槽用湯水管側接続部を直線状又は略直線状に連なる形態で備えさせることが可能となって、熱源機側継手及び浴槽側継手の夫々において、浴槽に供給される湯水を通流させるための通流抵抗が大きくなるのを抑制できるので、浴槽用湯水管を通して所定通りに湯水を浴槽に供給することができる。
従って、浴槽用湯水管を通しての浴槽への湯水の供給に影響を与えないようにしながら、配管作業をより一層容易化することができるようになった。
【００２０】
第３特徴構成は、上記第２特徴構成に加えて、
前記熱源機側継手及び前記浴槽側継手のうちの少なくとも一方には、前記ドレン排水管挿通部の内部通路側端部のうちで、前記内部通路の通路長手方向において前記浴槽用湯水管側接続部から離れる側に位置する部分から前記内部通路内に延びる状態でドレン排水管案内部が備えられている点にある。
【００２１】
即ち、熱源機側継手及び浴槽側継手のうちの少なくとも一方については、ドレン排水管を、浴槽用湯水管側接続部を通過させてドレン排水管挿通部にその内部通路側から挿通することになるが、そのようにドレン排水管を挿通することになる継手にはドレン排水管案内部が備えられるようにすることにより、ドレン排水管を、浴槽用湯水管側接続部を通過させてドレン排水管挿通部にその内部通路側から挿通するときには、そのドレン排水管挿通部の内部通路側端部のうちで、内部通路の通路長手方向において浴槽用湯水管側接続部から離れる側に位置する部分から内部通路内に延びる状態でドレン排水管案内部が備えられているので、ドレン排水管の先端がドレン排水管案内部に当たってそのドレン排水管案内部の案内でドレン排水管挿通部の内部通路側の開口部に導かれることになり、ドレン排水管をドレン排水管挿通部に挿通し易い。
従って、浴槽用湯水管を通しての浴槽への湯水の供給に影響を与えないようにしながら、配管作業を更に容易化することができるようになった。
【００２２】
第４特徴構成は、上記第１〜第３特徴構成のいずれかに加えて、
前記浴槽側継手における前記浴槽側接続部と前記浴槽用湯水管側接続部との間の箇所に、前記内部通路に連通する浴槽水排水部が備えられ、
その浴槽水排水部又はその浴槽水排水部に接続された浴槽水排水管に、電磁式の開閉弁が設けられている点にある。
【００２３】
即ち、電磁式の開閉弁を開弁すると、浴槽水排水部を通して浴槽の湯水が排水されるので、浴槽の水位を低くすることができる。
【００２４】
例えば、通常の入浴用の温度よりも高温の湯を浴槽用湯水管を通して浴槽に供給して、風呂を追焚するように構成された風呂設備の場合、追焚により浴槽の水位が入浴用の所定の水位よりも高くなったときには、開閉弁を開弁して浴槽の湯水を排水することにより、浴槽の水位を入浴用の所定の水位にすることができる。
又、浴槽の水位を通常の入浴用の水位よりも低い水位にして入浴する所謂半身浴を行うときには、開閉弁を開弁して浴槽の湯水を排水することにより、浴槽の水位を半身浴用の所定の水位にすることができる。
【００２５】
そして、上述のように浴槽水排水部を備えさせた浴槽側継手を用いて浴槽用湯水管及びドレン排水管を配管することにより、浴槽の湯水を排水して浴槽の水位を低くする機能をも風呂設備に備えさせることができる。
ちなみに、浴槽の湯水を排水する浴槽水排水管を浴槽用湯水管に直接連通接続して、その浴槽水排水管に電磁式の開閉弁を設けることにより、浴槽の湯水を排水して浴槽の水位を低くする機能を備えさせることができるが、この場合は、熱源側継手及び浴槽側継手を用いて浴槽用湯水管及びドレン排水管を配管する作業とは別に、浴槽用湯水管に浴槽水排水管を連通接続し、その浴槽水排水管に電磁式の開閉弁手段を設ける作業を行う必要があるので、配管作業が複雑化することになる。
従って、ドレンを浴槽側の排水箇所に排水する機能に加えて浴槽の水位を低くすることができる機能を備えさせながらも、配管作業の容易化を図り得る風呂設備用配管構造を提供することができるようになった。
【００２６】
第５特徴構成は、第１〜第４特徴構成のいずれか１つに記載の風呂設備用配管構造のドレン排水管挿通方法であって、
屈曲自在で長尺状の挿通体の端部に前記浴槽用湯水管の内部空間を移動可能で且つ移動方向視での面積が前記挿通体の横断面積よりも大きい被押圧体を連結し、
前記被押圧体を前記浴槽用湯水管又は前記熱源機側継手の熱源機側の端部からそれの内部空間に入れた状態で、前記熱源機から前記浴槽側に前記浴槽用湯水管を通して湯水を供給し、その供給する湯水の水圧にて前記被押圧体を浴槽側に移動させて、前記浴槽用湯水管内に前記挿通体を挿通し、
前記挿通体の端部に前記ドレン用排水管を接続し、前記挿通体の前記ドレン用排水管を接続した側とは反対側の端部を引き操作して、前記浴槽用湯水管内に前記ドレン用排水管を挿通させる点にある。
【００２７】
即ち、まず、挿通体の端部に連結した被押圧体を浴槽用湯水管又は熱源機側継手の熱源機側の端部からそれの内部空間に入れた状態で、熱源機から浴槽側に浴槽用湯水管を通して湯水を供給し、その供給する湯水の水圧にて被押圧体を浴槽側に移動させることにより、浴槽用湯水管内に挿通体を挿通させる。次に、挿通体の端部にドレン排水管を接続し、挿通体のドレン排水管を接続した側とは反対側の端部を引き操作して、浴槽用湯水管内にドレン排水管を挿通させる。
【００２８】
よって、ドレン排水管より先に浴槽用湯水管に挿通体を挿通させ、その挿通させた挿通体の端部にドレン排水管を接続し、挿通体のドレン排水管を接続した側とは反対側の端部を引き操作することにより、ドレン排水管を浴槽用湯水管内に引き込んで浴槽用湯水管内に挿通させるため、ドレン排水管は浴槽用湯水管の屈曲箇所において屈曲する側に曲がるように挿通体にて引っ張られるため曲がり易く、ドレン排水管を浴槽用湯水管に挿通させ易い。
【００２９】
また、挿通体は、ドレン排水管よりも浴槽用湯水管を挿通させ易いように浴槽用湯水管よりも屈曲し易いものを用いるが、屈曲し易い挿通体を浴槽用湯水管の端部から押し込んで浴槽用湯水管に挿通させようとしても、挿通体が必要以上に屈曲してしまい、挿通体を浴槽用湯水管に挿通させ難いものであるが、熱源機から浴槽側に浴槽用湯水管を通して供給される湯水の水圧にて被押圧体を浴槽側に移動させることにより、挿通体を浴槽用湯水管内に引き込んで浴槽用湯水管内に挿通させるため、挿通体を必要以上に屈曲させることなく浴槽用湯水管を挿通させることができるので、挿通体を浴槽用湯水管に挿通させ易い。
【００３０】
つまり、例えば、挿通体として、ドレン排水管よりも屈曲し易い合成繊維製の糸を用いて、挿通体、ドレン排水管の順に浴槽用湯水管内に挿通させることにより、ドレン排水管を浴槽用湯水管に挿通し易いものとなり、また、挿通体を熱源機から浴槽側に浴槽用湯水管を通して供給される湯水の水圧を利用して、挿通体を浴槽用湯水管内に挿通させるため、空気圧で送り込む場合のようにはコンプレッサ等が必要なく、簡単に挿通体を浴槽用湯水管に挿通させることができる。
【００３１】
従って、挿通体、ドレン排水管の順で浴槽用湯水管に挿通させることによりドレン排水管を浴槽用湯水管に挿通させ易く、また、熱源機から浴槽側に浴槽用湯水管を通して供給する風呂設備の既存の構成を利用することにより、ドレン排水管を浴槽用湯水管に簡素な構成で挿通させることができ、もって、簡素な構成でありながらドレン排水管を挿通させ易い風呂設備用配管構造のドレン排水管挿通方法を提供することができるにようになった。
【００３２】
第６特徴構成は、第１〜第４特徴構成のいずれか１つに記載の風呂設備用配管構造のドレン排水管挿通方法であって、
屈曲自在で長尺状の先挿通体の端部に前記浴槽用湯水管の内部空間を移動可能で且つ移動方向視での面積が前記先挿通体の横断面積よりも大きい被押圧体を連結し、
前記被押圧体を前記浴槽用湯水管又は前記熱源機側継手の熱源機側の端部からそれの内部空間に入れた状態で、前記熱源機から前記浴槽側に前記浴槽用湯水管を通して湯水を供給し、その供給する湯水の水圧にて前記被押圧体を浴槽側に移動させて、前記浴槽用湯水管内に前記先挿通体を挿通し、
前記先挿通体の端部にこの先挿通体よりも引張り強さが大きい屈曲自在で長尺状の後挿通体を接続し、前記先挿通体の前記後挿通体を接続した側とは反対側の端部を引き操作して、前記浴槽用湯水管内に前記後挿通体を挿通し、
前記後挿通体の端部に前記ドレン用排水管を接続し、前記後挿通体の前記ドレン用排水管を接続した側とは反対側の端部を引き操作して、前記浴槽用湯水管内に前記ドレン用排水管を挿通させる点にある。
【００３３】
即ち、まず、先挿通体の端部に連結した被押圧体を浴槽用湯水管又は熱源機側継手の熱源機側の端部からそれの内部空間に入れた状態で、熱源機から浴槽側に浴槽用湯水管を通して湯水を供給し、その供給する湯水の水圧にて被押圧体を浴槽側に移動させることにより、浴槽用湯水管内に先挿通体を挿通させる。次に、浴槽用湯水管内に挿通させた先挿通体の端部に後挿通体を接続し、先挿通体の後挿通体を接続した側とは反対側の端部を引き操作して、浴槽用湯水管内に後挿通体を挿通させる。最後に、後挿通体の端部にドレン排水管を接続し、後挿通体のドレン排水管を接続した側とは反対側の端部を引き操作して、浴槽用湯水管内にドレン排水管を挿通させる。
【００３４】
よって、ドレン排水管より先に浴槽用湯水管に後挿通体を挿通させ、その挿通させた後挿通体の端部にドレン排水管を接続し、後挿通体のドレン排水管を接続した側とは反対側の端部を引き操作することにより、ドレン排水管を浴槽用湯水管内に引き込んで浴槽用湯水管内に挿通させるため、ドレン排水管は浴槽用湯水管の屈曲箇所において屈曲する側に曲がるように後挿通体にて引っ張られるため曲がり易く、ドレン排水管を浴槽用湯水管に挿通させ易い。
また、後挿通体としては、端部にドレン排水管を接続した状態でその反対側の端部を引き操作したとしても切断しないような引張り強さが大きいものを用いるから、一般的に引張り強さが大きいものは屈曲し難いため、後挿通体を浴槽用湯水管の端部から押し込んで浴槽用湯水管に挿通させようとしても、浴槽用湯水管の屈曲箇所で屈曲し難いので、後挿通体を浴槽用湯水管に挿通させ難いものであるが、後挿通体より先に先挿通体を浴槽用湯水管に挿通させ、その挿通させた先挿通体の端部に後挿通体を接続し、先挿通体の後挿通体を接続した側とは反対側の端部を引き操作することにより、後挿通体を浴槽用湯水管内に引き込んで浴槽用湯水管内に挿通させるため、後挿通体は浴槽用湯水管の屈曲箇所において屈曲する側に曲がるように引っ張られるため曲がり易く、後挿通体を浴槽用湯水管に挿通させ易い。
また、先挿通体は、端部に金属製のワイヤ等の後挿通体を接続した状態でその反対側の端部を引き操作しても切断しない程度の引張り強さが小さいものを用いるから、一般的に引張り強さが小さいものは屈曲し易いため、先挿通体を浴槽用湯水管の端部から押し込んで浴槽用湯水管に挿通させようとしても、先挿通体が必要以上に屈曲してしまい、先挿通体を浴槽用湯水管に挿通させ難いものであるが、熱源機から浴槽側に浴槽用湯水管を通して供給される湯水の水圧にて被押圧体を浴槽側に移動させることにより、先挿通体を浴槽用湯水管内に引き込んで浴槽用湯水管内に挿通させるため、先挿通体を必要以上に屈曲させることなく浴槽用湯水管を挿通させることができるので、先挿通体を浴槽用湯水管に挿通させ易い。
【００３５】
つまり、後挿通体としては、ドレン排水管を浴槽用湯水管内に挿通させるように引張っても切断しないような引張り強さが大きいものを用いる必要があるが、先挿通体としては、後挿通体を浴槽用湯水管内に挿通させるように引っ張っても切断しないような引張り強さの小さなものを用いることができるため、例えば、先挿通体として、後挿通体よりも引張り強さが小さな合成繊維製の糸を用い、後挿通体として、先挿通体よりも引張り強さが大きい金属製のワイヤを用いて、先挿通体、後挿通体、ドレン排水管の順に浴槽用湯水管内に挿通させることにより、ドレン排水管を浴槽用湯水管に挿通し易いものとなり、また、先挿通体を熱源機から浴槽側に浴槽用湯水管を通して供給される湯水の水圧を利用して、先挿通体を浴槽用湯水管内に挿通させるため、空気圧で送り込む場合のようにはコンプレッサ等が必要なく、簡単に先挿通体を浴槽用湯水管に挿通させることができる。
【００３６】
従って、先挿通体、この先挿通体より引張り強さが大きい後挿通体、ドレン排水管の順で浴槽用湯水管に挿通させることによりドレン排水管を浴槽用湯水管に挿通させ易く、また、熱源機から浴槽側に浴槽用湯水管を通して供給する風呂設備の既存の構成を利用することにより、ドレン排水管を浴槽用湯水管に簡素な構成で挿通させることができ、もって、簡素な構成でありながらドレン排水管を挿通させ易い風呂設備用配管構造のドレン排水管挿通方法を提供することができるにようになった。
【００３７】
第７特徴構成は、上記第５又は第６特徴構成に加えて、
前記浴槽用湯水管の熱源機側の端部と前記熱源機側の接続部との間の管路部分に装着自在な中間装着体に回転自在な回転軸を設け、
前記中間装着体の回転軸に前記先挿通体の前記被押圧体を接続した端部側とは反対側の部分を巻回する点にある。
【００３８】
即ち、先挿通体の被押圧体を接続した端部側とは反対側の部分を中間装着体の回転軸に巻回してあるから、熱源機から浴槽側に浴槽用湯水管を通して湯水を供給するに伴って回転体を回転させて回転体から先挿通体を繰り出すことにより、屈曲し易い先挿通体を絡まることなく浴槽用湯水管に挿通させ易いものとなり、もって、先挿通体を絡まることなく浴槽用湯水管に挿通させ易い風呂設備用配管構造のドレン排水管挿通方法を提供することができるようになった。
【００３９】
第８特徴構成は、第７特徴構成に加えて、
前記中間装着部の外部に前記回転軸を回転操作する操作部が設けられている点にある。
【００４０】
即ち、中間装着部の外部に回転軸を回転操作する操作部が設けられているから、作業者が操作部を操作することにより中間装着部の外部から回転軸を回転操作することができるため、熱源機から浴槽側に浴槽用湯水管を通して湯水が供給されるに伴って回転体を回転操作して回転体から先挿通体を繰り出すことにより、湯水の供給量に応じた量を回転体から先挿通体を繰り出すことができるので、屈曲し易い先挿通体をより絡まることなく浴槽用湯水管に挿通させ易いものとなり、もって、先挿通体をより絡まることなく浴槽用湯水管に挿通させ易い風呂設備用配管構造のドレン排水管挿通方法を提供することができるようになった。
【発明を実施するための最良の形態】
【００４１】
〔第１実施形態〕
以下、本発明に係る第１実施形態を図面に基づいて説明する。
図１及び図２は、本発明に係る風呂設備用配管構造を備えた風呂設備を示す。
この風呂設備は、湯水加熱用の潜熱回収式の熱交換器（以下、潜熱回収熱交換器と記載する場合がある）Ｎ２を備えた熱源機Ｇと、その熱源機Ｇにて加熱された湯水を浴槽Ｙに供給する浴槽用湯水管Ｐと、前記熱源機Ｇから排出されるドレンを前記浴槽側の開始箇所としての排水口Ｄに導くドレン排水管４等を備えて構成されている。ちなみに、前記排水口Ｄは、浴槽Ｙが設置された浴室の床面に設けられている。
【００４２】
図１に示すように、前記熱源機Ｇは、一般家庭用の水道管に接続された給水路１からの水をガス燃焼式のバーナｇ１によって加熱して、加熱後の湯水を先端に給湯栓２を備えた給湯路３に供給する給湯用動作部Ａ、ガス燃焼式のバーナｇ２によって、熱消費端末Ｔに循環供給する湯水を加熱したり浴槽Ｙの湯水を追焚きする温水循環用動作部Ｂ、熱源機Ｇの運転を制御する運転制御部Ｃ、メインリモコンＲ１、及び、浴室リモコンＲ２等を備えて構成されている。
熱消費端末Ｔとして、例えば、浴室暖房乾燥機、床暖房装置等が設けられる。メインリモコンＲ１は炊事場の近く等に設けられ、浴室リモコンＲ２は前記浴室内に設けられる。
【００４３】
前記給湯用動作部Ａ及び温水循環用動作部Ｂについて説明を加える。
給湯用動作部Ａ及び温水循環用動作部Ｂはいずれも、前記潜熱回収熱交換器Ｎ２に加えて主熱交換器Ｎ１を備えて構成され、それら主熱交換器Ｎ１及び潜熱回収熱交換器Ｎ２は、バーナｇ１，ｇ２から排気路５に向かう燃焼排ガス流動方向において潜熱回収熱交換器Ｎ２が下手側に位置する状態で、その燃焼排ガス流動方向に沿って並べて設けられている。
そして、潜熱回収熱交換器Ｎ２にて、主として各バーナｇ１，ｇ２の燃焼排ガスの潜熱により湯水を加熱し、主熱交換器Ｎ１にて、主として各バーナｇ１，ｇ２の燃焼排ガスの顕熱により、前記潜熱回収熱交換器Ｎ２にて加熱された湯水を加熱するように構成されている。
【００４４】
各潜熱回収熱交換器Ｎ２からは、燃焼生成水である酸性の凝縮水、即ち、前記ドレンが生成するが、このドレンはドレンパン６によって集められて中和器７に供給され、その中和器７にて中和されたのち、ドレンタンク８に貯留されるように構成されている。この中和器９は、詳述はしないがドレンに対して中和作用する中和剤（例えば、炭酸カルシウム）が装填されている。又、前記ドレンタンク８には、そのドレンタンク８におけるドレンの貯留量が上限貯留量以上であることを検出する上限センサ８ｓが設けられている。
そして、ドレン排水ポンプ９により、ドレンタンク８に貯留されているドレンが前記ドレン排水管４を通して送出されて、前記排水口Ｄから排出されることになる。
【００４５】
前記給湯用動作部Ａ及び温水循環用動作部Ｂには、各バーナｇ１、ｇ２に一般家庭用の燃料ガスを供給するガス供給路Ｋが接続され、そのガス供給路Ｋには、燃料ガス供給量を調整する電磁式のガス比例弁１０、燃料ガスの供給を断続する断続弁１１が設けられている。又、前記給湯用動作部Ａ及び温水循環用動作部Ｂには、各バーナｇ１、ｇ２に燃焼用空気を供給する燃焼用ファン１２が設けられ、更に、図示を省略するが、各バーナｇ１、ｇ２の近くには、点火動作を実行する点火用のイグナイタと着火されたか否かを検出するフレームロッドが設けられている。
【００４６】
前記給水路１が前記給湯用動作部Ａにおける潜熱回収熱交換器Ｎ２の湯水入口部に接続され、前記給湯路３が前記給湯用動作部Ａにおける主熱交換器Ｎ１の湯水出口部に接続されて、給水路１を通して供給される水が潜熱回収熱交換器Ｎ２及び主熱交換器Ｎ１にて加熱されて給湯路３を通して給湯栓２に供給されるように構成されている。
【００４７】
前記給水路１には、給水温度を検出する給水サ−ミスタ１３と給水量を検出する水量センサ１４とが設けられ、給水路１における給水サ−ミスタ１３及び水量センサ１４よりも下流側の箇所と前記給湯路３とが、熱交換器Ｎ１，Ｎ２を迂回するように給水バイパス路１５にて接続されている。
前記給湯路３と前記給水バイパス路１５との接続箇所には、主熱交換器Ｎ１からの湯量と給水バイパス路１５からの水量との混合比を調整するミキシング弁１７が設けられ、前記給湯路３における前記給水バイパス路１５の接続箇所よりも上流側には、主熱交換器Ｎ１から送出される湯水の温度を検出する出湯サーミスタ１６が設けられ、前記給湯路３における前記給水バイパス路１５の接続箇所よりも下流側には、上流側から順に、前記ミキシング弁１７により混合された後の湯水の温度を検出する給湯サーミスタ１８、湯水の量を調整する水比例弁１９、一般給湯の割込みを検出する割込み水量センサ２０が設けられている。
【００４８】
前記熱消費端末Ｔの湯水出口部と前記温水循環用動作部Ｂにおける潜熱回収熱交換器Ｎ２の入口部とが温水循環用戻り路２１にて接続され、前記温水循環用動作部Ｂにおける主熱交換器Ｎ１の湯水出口部と前記熱消費端末Ｔの湯水入口部とが温水循環用往き路２２にて接続され、温水循環用戻り路２１には、膨張タンク２３が介装され、更に、その温水循環用戻り路２１における膨張タンク２３よりも下流側の箇所には、膨張タンク２３内の湯水を吸引して温水循環用動作部Ｂの潜熱回収熱交換器Ｎ２に送出するように温水循環用ポンプ２４が設けられている。
そして、温水循環用ポンプ２４の通流作用により、湯水が、温水循環用往き路２２及び温水循環用戻り路２１を通して潜熱回収熱交換器Ｎ２及び主熱交換器Ｎ１と熱消費端末Ｔとにわたって循環されることになり、潜熱回収熱交換器Ｎ２及び主熱交換器Ｎ１にて加熱された湯水が熱消費端末Ｔに循環供給されるように構成されている。
【００４９】
前記温水循環用往き路２２には、潜熱回収熱交換器Ｎ２及び主熱交換器Ｎ１にて加熱されたのちの湯水の温度を検出する循環温水サーミスタ２５、及び、熱消費端末Ｔへの湯水の供給を断続する端末用熱動弁２６が設けられている。
【００５０】
前記温水循環用往き路２２と温水循環用戻り路２１における膨張タンク２３よりも上流側の箇所とは、前記熱消費端末Ｔを迂回させて湯水を循環させる温水循環バイパス路２７にて接続され、そのバイパス路２７には、前記浴槽Ｙ内の湯水を追焚するための追焚用熱交換器２８と追焚用熱動弁２９とが設けられている。
この追焚用熱交換器２８の湯水出口部と浴槽Ｙに装備された循環アダプタ３０とが浴槽用往き路３１にて接続され、その循環アダプタ３０と追焚用熱交換器２８の湯水入口部とが浴槽用戻り路３２にて接続され、その浴槽用戻り路３２に、浴槽Ｙの湯水を吸引して追焚用熱交換器２８に送出するように追焚用循環ポンプ３３が設けられている。
その追焚用循環ポンプ３３の通流作用により、浴槽Ｙの湯水が浴槽用往き路３１及び浴槽用戻り路３２を通して追焚用熱交換器２８に循環供給されるように構成されている。
【００５１】
そして、端末用熱動弁２６を閉弁し且つ追焚用熱動弁２９を開弁した状態で温水循環用ポンプ２４を作動させて、潜熱回収熱交換器Ｎ２及び主熱交換器Ｎ１にて加熱された湯水を熱消費端末Ｔを迂回させる状態で追焚用熱交換器２８に循環供給し、追焚用循環ポンプ３３を作動させて、浴槽Ｙの湯水を追焚用熱交換器２８に循環供給することにより、追焚用熱交換器２８にて浴槽Ｙの湯水を加熱して、浴槽Ｙを追焚するように構成されている。
つまり、前記温水循環用動作部Ｂは、前記バーナｇ２、前記主熱交換器Ｎ１及び前記潜熱回収熱交換器Ｎ２に加えて、前記温水循環用往き路２２、前記温水循環用戻り路２１、前記温水循環用ポンプ２４、前記温水循環バイパス路２７、前記追焚用熱交換器２８、前記端末用熱動弁２６及び前記追焚用熱動弁２９等を備えて構成されている。
【００５２】
前記浴槽用戻り路３２には、上流側から順に、圧力を検出することによって浴槽Ｙ内の水位を検出する水位センサ３４、浴槽Ｙから取り出される湯水の温度、即ち、浴槽Ｙの湯水の温度を検出する浴槽戻り温サ−ミスタ３５、浴槽用戻り路３２を開閉する電磁式の風呂２方弁３６、前記追焚用循環ポンプ３３、水流スイッチ３７が設けられ、前記浴槽用往き路３１には、浴槽Ｙに供給される湯水の温度を検出する浴槽往き温サ−ミスタ３８が設けられている。
【００５３】
前記給湯路３における水比例弁１９と割込み水量センサ２０との間の箇所から、給湯路３からの湯水を浴槽Ｙに供給するための湯張り路４１が分岐されて、その湯張り路４１が、前記浴槽用戻り路３２における追焚用循環ポンプ３３と水流スイッチ３７との間の箇所に接続され、この湯張り路４１には、上流側から順に、湯張り路４１を開閉する湯張り電磁弁４２と、湯張り逆止弁４３とが設けられている。
前記湯張り路４１における湯張り電磁弁４２と湯張り逆止弁４３との間の箇所には、その湯張り路４１に連通する空気層形成用ホッパ４４が介装されている。この空気層形成用ホッパ４４には、湯水を排水する排水路４５と、その排水路４５を開閉する電磁式の排水弁４６とが設けられ、排水路４５の端部が浴槽用戻り路３２における風呂２方弁３６と追焚用循環ポンプ３３との間の箇所に接続されている。
【００５４】
そして、前記湯張り電磁弁４２を開弁すると、前記給湯用動作部Ａにて加熱されて湯張り路４１を通して供給される湯水が浴槽用戻り路３２を浴槽Ｙ側と前記追焚用熱交換器２８側の両側に通流して、湯張り路４１を通して供給される湯水が浴槽用往き路３１及び浴槽用戻り路３２の両方を通して浴槽Ｙに供給されることになる。
【００５５】
次に、風呂設備用配管構造について説明する。
図１及び図２に示すように、前記浴槽用往き路３１は、前記追焚用熱交換器２８に接続された状態で前記熱源機Ｇのケーシング３９内に設けられる浴槽往き内管３１ａと、浴槽Ｙに装備された前記循環アダプタ３０に接続された状態で前記熱源機Ｇのケーシング３９外に設けられる浴槽往き外管３１ｂとから構成され、前記浴槽用戻り路３２は、前記追焚用熱交換器２８に接続された状態で前記熱源機Ｇのケーシング３９内に設けられる浴槽戻り内管３２ａと、前記循環アダプタ３０に接続された状態で前記熱源機Ｇのケーシング３９外に設けられる浴槽戻り外管３２ｂとから構成されている。
つまり、浴槽往き内管３１ａと浴槽往き外管３１ｂとにより、先の〔課題を解決するための手段〕の欄に記載した浴槽用往き管が構成され、又、浴槽戻り内管３２ａと浴槽戻り外管３２ｂとにより、先の〔課題を解決するための手段〕の欄に記載した浴槽用戻り管が構成されることになり、この実施形態では、前記浴槽往き外管３１ｂや前記浴槽戻り外管３２ｂが、前記浴槽用湯水管Ｐに相当することになる。
【００５６】
前記浴槽往き内管３１ａにおける追焚用熱交換器側とは反対側の端部には、外周部に雌ネジが形成された筒状の往き用接続部４７が取り付けられ、前記浴槽戻り内管３２ａにおける追焚用熱交換器側とは反対側の端部には、外周部に雌ネジが形成された筒状の戻り用接続部４８が取り付けられ、それら往き用接続部４７及び戻り用接続部４８は、外部に突出する状態で前記ケーシング３９に付設されている。
【００５７】
図１及び図２に示すように、前記浴槽往き外管３１ｂの熱源機側の端部に袋ナット４９が、浴槽側の端部に袋ナット５０が夫々回動自在に支持されている。
そして、その浴槽往き外管３１ｂの熱源機側の袋ナット４９が前記熱源機Ｇの前記往き用接続部４７に螺合され、浴槽側の袋ナット５０が前記循環アダプタ３０の往き用接続部３０ｆに螺合されて、浴槽往き外管３１ｂが熱源機Ｇと循環アダプタ３０とに接続されている。
【００５８】
図１及び図２に示すように、前記浴槽用湯水管Ｐとしての浴槽戻り外管３２ｂにおける熱源機側の端部に、熱源機側接続部６１と浴槽用湯水管側接続部６２とを内部通路６（図３及び図５参照）にて連通させる状態で備える熱源機側継手６０が設けられ、且つ、前記浴槽戻り用外管３２ｂにおける浴槽側の端部に、浴槽側接続部７１と浴槽用湯水管側接続部７２とを内部通路７３（図４及び図５参照）にて連通させる浴槽側継手７０が設けられている。
図１〜図３及び図５に示すように、前記熱源機側継手６０における前記熱源機側接続部６１と前記浴槽用湯水管側接続部６２との間の側壁部に、前記内部通路６３を外部に連通するドレン排水管挿通部６４が備えられ、そのドレン排水管挿通部６４に、前記ドレン排水管４を挿通した状態で水密状に封止する封止部材６５が備えられている。
図１、図２、図４及び図５に示すように、前記浴槽側継手７０における前記浴槽側接続部７１と前記浴槽用湯水管側接続部７２との間の側壁部に、前記内部通路７３を外部に連通するドレン排水管挿通部７４が備えられ、そのドレン排水管挿通部７４に、前記ドレン排水管４を挿通した状態で水密状に封止する封止部材７５が備えられている。
図１、図２及び図５に示すように、前記ドレン排水管４が、その熱源機側の端部が前記熱源機側継手６０のドレン排水管挿通部６４から外部に突出し且つその浴槽側の端部が前記浴槽側継手７０のドレン排水管挿通部７４から外部に突出する状態で、前記浴槽戻り外管３２ｂ内に位置するように設けられている。
【００５９】
ちなみに、図３は、前記熱源機側継手６の詳細な構成を示す図であり、図４は、前記浴槽側継手７０の詳細な構成を示す図である。又、図５は、前記熱源機側継手６及び前記浴槽側継手７０夫々の詳細な構成をドレン排水管４が挿通された状態にて示す図である。
尚、この実施形態では熱源機側継手６０及び浴槽側継手７０を同様に構成してあるので、図５においては、熱源機側継手６０及び浴槽側継手７０夫々の各部を示す符号を併記する（浴槽側継手７０に対応する符合を（）内に記載する）ことにより、熱源機側継手６０及び浴槽側継手７０夫々を同一の図を用いて示している。
【００６０】
この実施形態では、図３〜図５に示すように、前記浴槽用湯水管側接続部６２，７２及び前記ドレン排水管挿通部６４，７４夫々が筒状に構成されて、夫々の筒軸芯が９０°よりも大きい角度で交差する形態で、前記熱源機側継手６０及び前記浴槽側継手７０に備えられている。
又、前記熱源機側継手６０及び前記浴槽側継手７０の夫々には、前記ドレン排水管挿通部６４，７４の内部通路側端部のうちで、前記内部通路６３，７３の通路長手方向において前記浴槽用湯水管側接続部６２，７２から離れる側に位置する部分から前記内部通路６３，７３内に延びる状態でドレン排水管案内部６４ａ，７４ａが備えられている。
【００６１】
以下、前記熱源機側継手６０及び前記浴槽側継手７０について、説明を加える。尚、上述したように、熱源機側継手６０及び浴槽側継手７０は同様に構成されているので、主として、熱源機側継手６０を詳細に説明して、浴槽側継手７０は簡単に説明する。
【００６２】
先ず、図３及び図５に基づいて、前記熱源機側継手６０について説明を加える。
この熱源機側継手６０の継手本体部６０Ｍが、一端側の筒状の熱源機側接続部６１と、他端側の筒状の浴槽用湯水管側接続部６２と、それら熱源機側接続部６１及び浴槽用湯水管側接続部６２を連通する内部通路６３とを直線状に連なる状態で備えるように構成されている。
筒状の浴槽用湯水管側接続部６２は、前記浴槽戻り用外管３２ｂが外嵌状態で接続可能なように構成され、その浴槽用湯水管側接続部６２の内径は、ドレン排水管４を挿通可能なようにそのドレン排水管４の外径よりも大径となるように構成されている。
又、内部通路６３の内径は、筒状の熱源機側接続部６１の内径及び筒状の浴槽用湯水管側接続部６２の内径よりも大径になるように構成されている。
ちなみに、前記浴槽戻り用外管３２ｂは、例えば１０Ａのサイズの樹脂管にて構成され、前記ドレン排水管４は、例えば４Ａのサイズの樹脂管にて構成されている。
【００６３】
前記熱源機側継手６０における継手本体部６０Ｍの熱源機側接続部６１には、前記熱源機Ｇの戻り用接続部４８に螺合自在な袋ナット６６が回動自在に支持されている。
又、熱源機側継手６０における継手本体部６０Ｍの浴槽用湯水管側接続部６２の外周部には、それに外嵌される前記浴槽戻り外管３２ｂの抜け止めのために、接続部先端側ほど小径となる段部６２ａの複数が接続部長手方向に並べて設けられている。
【００６４】
前記ドレン排水管挿通部６４が筒状に構成されて、その筒状のドレン排水管挿通部６４が、その筒軸芯が浴槽用湯水管側接続部６２の筒軸芯と概ね１３５°の交差角度で交差する形態で、継手本体部６０Ｍにおける前記熱源機側接続部６１と前記浴槽用湯水管側接続部６２との間の側壁部に形成された孔に螺入されている。
そのドレン排水管挿通部６４の両端面は、筒軸芯に直交する面となるように構成され、そのような筒状のドレン排水管挿通部６４が上述のように継手本体部６０Ｍに螺入されるに当たっては、そのドレン排水管挿通部６４の内部通路側端部のうちの浴槽用湯水管側接続部６２から近い部分が内部通路６３の内面と略同位置となり、且つ、浴槽用湯水管側接続部６２から遠い部分が内部通路６３の軸芯に対応する位置までその内部通路６３内に突出する形態で螺入されている。
つまり、前記熱源機側継手６０に、筒状の浴槽用湯水管側接続部６２及び筒状のドレン排水管挿通部６４が、夫々の筒軸芯が９０°よりも大きい角度で交差する形態で備えられることになる。又、ドレン排水管挿通部６４が前記熱源機側継手６０の継手本体部６０Ｍに螺入された状態で、そのドレン排水管挿通部６４における内部通路６３内に突出する部分が、前記ドレン排水管案内部６４ａとして機能するように構成されている。
【００６５】
前記内部通路６３の内面における浴槽用湯水管側接続部側の端部部分は、浴槽用湯水管側接続部側に向かって漸次小径となる状態で浴槽用湯水管側接続部６２に連なる先細り状に形成されている。そして、その内部通路６３における浴槽用湯水管側接続部６２に連なる先細り状の内面にて、ドレン排水管４が浴槽用湯水管側接続部６２にその内部通路側から挿通されるときにドレン排水管４の先端を浴槽用湯水管側接続部６２に案内するドレン排水管案内部６３ａが構成される。
【００６６】
前記熱源機側継手６０の前記封止部材６５は、前記ドレン排水管４を挿通可能な挿通孔６７ａを備えて、前記ドレン排水管挿通部６４の外方側端部に螺合される袋ナット６７と、ドレン排水管挿通部６４の開口縁部に段状に形成された環状のパッキング保持部６４ｂに保持されて、ドレン排水管挿通部６４に挿通されるドレン排水管４に外嵌されるリング状のパッキング６８とを備えて構成されている。
又、前記袋ナット６７の挿通孔６７ａにおける内方側の開口縁には、その軸芯方向に突出する環状のパンキング押さえ部６７ｂが設けられている。
そして、ドレン排水管４を袋ナット６７の挿通孔６７ａ及びドレン排水管挿通部６４に挿通した状態で、袋ナット６７をドレン排水管挿通部６４の外方側端部に螺合すると、その螺合に伴って、袋ナット６７のパンキング押さえ部６７ｂがドレン排水管４に外嵌されたパッキング６８を押圧することになって、そのパッキング６８がドレン排水管４の外周部にその全周にわたって圧接されることになり、ドレン排水管挿通部６４が水密状に封止されることになる。
【００６７】
次に、図４及び図５に基づいて、前記浴槽側継手７０について説明を加える。
この浴槽側継手７０の継手本体部７０Ｍが、一端側の筒状の浴槽側接続部７１と、他端側の筒状の浴槽用湯水管側接続部７２と、それら熱源機側接続部７１及び浴槽用湯水管側接続部７２を連通する内部通路７３とを直線状に連なる状態で備えるように構成されている。
【００６８】
前記浴槽側継手７０における継手本体部７０Ｍの浴槽側接続部７１には、前記循環アダプタ３０の戻り用接続部３０ｂに螺合自在な袋ナット７６が回動自在に支持されている。
又、浴槽側継手７０における継手本体部７０Ｍの浴槽用湯水管側接続部７２の外周部には、それに外嵌される前記浴槽戻り外管３２ｂの抜け止めのために、接続部先端側ほど小径となる段部７２ａの複数が接続部長手方向に並べて設けられている。
【００６９】
前記熱源機側継手６０のドレン排水管挿通部６４がその継手本体部６０Ｍに螺入されるのと同様の形態で、浴槽側継手７０のドレン排水管挿通部７４がその継手本体部７０Ｍにおける前記浴槽側接続部７１と前記浴槽用湯水管側接続部７２との間の側壁部に形成された孔に螺入されることにより、前記浴槽側継手７０に、筒状の浴槽用湯水管側接続部７２及び筒状のドレン排水管挿通部７４が、夫々の筒軸芯が９０°よりも大きい角度で交差する形態で備えられことになる。又、ドレン排水管挿通部７４が前記浴槽側継手７０の継手本体部７０Ｍに螺入された状態で、そのドレン排水管挿通部７４における内部通路７３内に突出する部分が、前記ドレン排水管案内部７４ａとして機能するように構成されている。
【００７０】
前記内部通路７３の内面における浴槽用湯水管側接続部側の端部部分も、前記熱源機側継手６０と同様に、浴槽用湯水管側接続部側に向かって漸次小径となる状態で浴槽用湯水管側接続部７２に連なる先細り状に形成され、その先細り状の内面にて、ドレン排水管４が浴槽用湯水管側接続部７２にその内部通路側から挿通されるときにドレン排水管４の先端を浴槽用湯水管側接続部７２に案内するドレン排水管案内部７３ａが構成される。
【００７１】
前記熱源機側継手７０の前記封止部材７５は、前記ドレン排水管４を挿通可能な挿通孔７７ａを備えて、前記ドレン排水管挿通部７４の外方側端部に螺合される袋ナット７７と、ドレン排水管挿通部７４の開口縁部に段状に形成された環状のパッキング保持部７４ｂに保持されて、ドレン排水管挿通部７４に挿通されるドレン排水管４に外嵌されるリング状のパッキング７８とを備えて構成されている。
又、前記袋ナット７７の挿通孔７７ａにおける内方側の開口縁には、その軸芯方向に突出する環状のパンキング押さえ部７７ｂが設けられている。
そして、ドレン排水管４を袋ナット７７の挿通孔７７ａ及びドレン排水管挿通部７４に挿通した状態で、袋ナット７７をドレン排水管挿通部７４の外方側端部に螺合すると、パッキング７８がドレン排水管４の外周部にその全周にわたって圧接されることになって、ドレン排水管挿通部７４が水密状に封止されることになる。
【００７２】
以下、前記浴槽往き外管３１ｂ、前記浴槽戻り外管３２ｂ及び前記ドレン排水管４を配管する作業の手順について説明する。
浴槽往き外管３１ｂ及び浴槽戻り外管３２ｂをさや管５１（図２及び図６参照）に入れた状態で床下に敷設する。
図２に示すように、浴槽往き外管３１ｂの熱源機側の袋ナット４９を前記熱源機Ｇの前記往き用接続部４７に螺合し、浴槽側の袋ナット５０を前記循環アダプタ３０の往き用接続部３０ｆに螺合して、浴槽往き外管３１ｂを熱源機Ｇと循環アダプタ３０とに接続する。
【００７３】
続いて、図３に示すように、浴槽戻り外管３２ｂの熱源機側の端部を熱源機側継手６０の浴槽湯水管側接続部６２に外嵌させて、バンド部材５２（図２及び図５参照）にて締め付け、図４に示すように、浴槽戻り外管３２ｂの浴槽側の端部を浴槽側継手７０の浴槽湯水管側接続部７２に外嵌させて、バンド部材５２にて締め付ける。
【００７４】
続いて、図３及び図４に示すように、ドレン排水管４を、熱源機側継手６０の封止部材６５における袋ナット６７の挿通孔６７ａに挿通した状態で、その熱源機側継手６０のドレン排水管挿通部６４からその熱源機側継手６０の内部通路６３に挿入し、更にドレン排水管４を先に押し込むことにより、熱源機側継手６０の浴槽用湯水管側接続部６２を通過させて、その浴槽用湯水管側接続部６２に外嵌された浴槽戻り外管３２ｂに挿通してその浴槽戻り外管３２ｂ内を通過させ、更にドレン排水管４を先に押し込むことにより、浴槽側継手７０の浴槽用湯水管側接続部７２を通過させて、その浴槽側継手７０のドレン排水管挿通部７４にその内部通路側から挿通して、そのドレン排水管挿通部７４から外部に突出させ、そのドレン排水管４の突出部分を浴槽側継手７０の封止部材７５における袋ナット７７の挿通孔７７ａに挿通する。
【００７５】
このようにドレン排水管４を熱源機側継手６０の浴槽用湯水管側接続部６２にその内部通路側から挿通するときには、ドレン排水管４の先端がドレン排水管案内部６３ａに当たってそのドレン排水管案内部６３ａの案内で浴槽用湯水管側接続部６２の内部通路側の開口部に導かれることになり、ドレン排水管４を浴槽用湯水管側接続部６２に挿通し易い。
又、ドレン排水管４を浴槽側継手７０のドレン排水管挿通部７４にその内部通路側から挿通するときには、ドレン排水管４の先端がドレン排水管案内部７４ａに当たってそのドレン排水管案内部７４ａの案内でドレン排水管挿通部７４の内部通路側の開口部に導かれることになり、ドレン排水管４をドレン排水管挿通部７５に挿通し易い。
【００７６】
続いて、図５に示すように、熱源機側継手６０の熱源機側接続部６１に支持された袋ナット６６を熱源機Ｇの戻り用接続部４８に螺合し、浴槽側継手７０の浴槽側接続部７１に支持された袋ナット７６を循環アダプタ３０の戻り用接続部３０ｂに螺合して、浴槽戻り外管３２ｂを熱源機Ｇと循環アダプタ３０とに接続する。
又、熱源機側継手６０の封止部材６５の袋ナット６７を熱源機側継手６０のドレン排水管挿通部６４の外方側端部に螺合することにより、そのドレン排水管挿通部６４を水密状に封止し、浴槽側継手７０の封止部材７５における袋ナット７７を浴槽側継手７０のドレン排水管挿通部７４の外方側端部に螺合することにより、そのドレン排水管挿通部７４を水密状に封止する。
【００７７】
以下、前記運転制御部Ｃの制御動作について簡単に説明する。
この運転制御部Ｃは、前記メインリモコンＲ１及び前記浴室リモコンＲ２夫々と通信可能に構成されている。
図１に示すように、メインリモコンＲ１及び浴室リモコンＲ２（但し、メインリモコンＲ１についてのみ図示）には、運転の開始と停止を指令する運転スイッチ８１、風呂自動運転を指令する風呂自動スイッチ８２、一般給湯温度を設定する給湯温度設定スイッチ８３、浴槽Ｙ内の目標温度を設定する浴槽温度設定スイッチ８４、浴槽Ｙ内の目標水位を設定する水位設定スイッチ８５、浴槽に追加で湯張り給湯する足し湯スイッチ８６、追焚運転を指令する追焚スイッチ８７、設定温度等の各種情報を表示する表示部８８等が設けられている。
【００７８】
前記運転制御部Ｃは、運転スイッチ８１が操作されると制御可能な状態になり、給湯栓２が開操作されると給湯栓２から湯水を給湯する一般給湯運転を実行する。又、運転制御部Ｃは、風呂自動スイッチ８２が操作されると風呂自動運転を実行し、足し湯スイッチ８６が操作されると足し湯運転を実行し、追焚スイッチ８７が操作されると追焚運転を実行し、前記上限センサ８ｓによりドレンタンク８のドレン貯留量が上限貯留量以上であることが検出されると、ドレン排水運転を実行する。
【００７９】
前記一般給湯運転では、給湯栓２が開かれて水量センサ１４による検出水量が所定量以上になると、給湯用動作部Ａにおける燃焼用ファン１２を駆動した後、断続弁１１を開弁してイグナイタによりバーナｇ１に点火し、給湯温度設定スイッチ８３による設定温度、水量センサ１４の検出水量、給水サ−ミスタ１３の検出水温及び給湯サーミスタ１８の検出温度などに基づいて、給湯サーミスタ１８の検出温度が給湯温度設定スイッチ８３による設定温度になるようにガス比例弁１０の開度及びミキシング弁１７の開度を調節する。水量センサ１４により通水が検出されなくなると、断続弁１１を閉弁してバーナｇ１の燃焼を停止し、燃焼用ファン１２も停止して一般給湯運転を終了する。
【００８０】
風呂自動運転では、先ず、湯張り運転を実行する。この湯張り運転では、前記湯張り電磁弁４２を開弁操作して、浴槽Ｙへの湯水の供給を開始し、上述の一般給湯運転と同様にバーナｇ１に点火し、浴槽温度設定スイッチ８４による設定温度、水量センサ１４の検出水量、給水サ−ミスタ１３の検出水温及び給湯サーミスタ１８の検出温度などに基づいて、給湯サーミスタ１８の検出温度が浴槽温度設定スイッチ８４による設定温度になるようにガス比例弁１０の開度及びミキシング弁１７の開度を調節し、水位センサ３４の検出水位が水位設定スイッチ８５にて設定された設定水位以上になると、バーナｇ１の燃焼を停止して湯張り運転を終了する。
この湯張り運転では、上述のように、浴槽用戻り路３２及び浴槽用往き路３１の両方を通して浴槽Ｙに湯水が供給されることになる。
【００８１】
風呂自動運転において湯張り運転が終了したときに、浴槽戻り温サーミスタ３５の検出温度が浴槽温度設定スイッチ８４による設定温度よりも低いときは、追焚運転を実行する。この追焚運転では、端末用熱動弁２６を閉弁し且つ追焚用熱動弁２９を開弁した状態で温水循環用ポンプ２４及び追焚用循環ポンプ３３を作動させて、浴槽Ｙ内の湯水を浴槽用戻り路３２及び浴槽用往き路３１を通して循環させ、温水循環用動作部Ｂにおける燃焼用ファン１２を駆動した後、断続弁１１を開弁してイグナイタによりバーナｇ２に点火し、浴槽往き温サーミスタ３８の検出温度が追焚用設定出湯温度（例えば６０°Ｃ）になるようにガス比例弁１０の開度を調節し、浴槽戻り温サ−ミスタ３５の検出温度が浴槽温度設定スイッチ８４による設定温度に達すると、断続弁１１を閉弁させてバーナｇ２の燃焼を停止させ、燃焼用ファン１２を停止させて追焚運転を終了する。
その後、引き続いて、設定時間の間キープ運転を実行する。このキープ運転では、浴槽Ｙの湯水の温度が浴槽温度設定スイッチ８４による設定温度になり且つ浴槽Ｙの水位が水位設定スイッチ８５にて設定された設定水位になるように、前記湯張り運転及び前記追焚運転を実行する。
【００８２】
前記足し湯運転では、水位センサ３４の検出水位が水位設定スイッチ８５による設定水位以上になるように、上述のように湯張り運転を実行する。
追焚スイッチ８７が操作されたときの追焚運転における制御動作は、上述の湯張り運転での追焚運転における制御動作と同様であるので、説明を省略する。
【００８３】
前記ドレン排水運転では、ドレン排水用設定時間の間、前記ドレン排水ポンプ９を作動させる。このドレン排水運転が実行されると、前記ドレンタンク８内のドレンが前記ドレン排水管４を通して浴室の排水口Ｄにまで導かれて、その排水口Ｄから排出されることになる。ちなみに、前記ドレン排水用設定時間は、例えば、前記ドレンタンク８における前記上限貯留量の９０％程度の量のドレンを排出することができる時間に設定される。
【００８４】
〔第２実施形態〕
以下、本発明に係る第２実施形態を図面に基づいて説明するが、この第２実施形態は、浴槽側継手７０の構成が異なる以外は上記の第１実施形態と同様であるので、第１実施形態と同じ構成要素や同じ作用を有する構成要素については、同じ符号を付すことにより説明を省略し、主として、第１実施形態と異なる構成を説明する。
【００８５】
図７ないし図９に示すように、前記浴槽側継手７０における前記浴槽側接続部７１と前記浴槽用湯水管側接続部７２との間の箇所に、前記内部通路７３に連通する浴槽水排水部７９が備えられ、その浴槽水排水部７９に接続された浴槽水排水管９１に、電磁式の開閉弁９２が設けられている。
【００８６】
説明を加えると、図９に示すように、前記浴槽水排水部７９は筒状に構成されて、その筒状の浴槽水排水部７９が、前記浴槽側継手７０の継手本体部７０Ｍにおける浴槽用湯水管側接続部７２とドレン排水管挿通部７４との間に側壁に、前記内部通路７３に連通し且つ外方に突出する状態で設けられている。
前記浴槽水排水管９１の端部に袋ナット９３が回動自在に支持されて、その袋ナット９３が浴槽水排水部７９の先端に螺合されることにより、浴槽水排水管９１が浴槽水排水部７９に接続される。
【００８７】
前記開閉弁９２は、閉じ側に復帰付勢され、通電されることにより開弁状態に切り換えられるように構成されている。
図８に示すように、開閉弁９２に動作電力を供給するための給電線９４が前記浴室リモコンＲ２に接続されて、浴室リモコンＲ２から開閉弁９２に動作電力から供給されるように構成されている。
図示を省略するが、浴室リモコンＲ２には弁駆動回路が設けられ、この弁駆動回路が運転制御部Ｃにより制御されて、開閉弁９２に動作電力を供給する状態と動作電力の供給を停止する状態とに切り換えられるように構成されている。
【００８８】
つまり、前記開閉弁９２は、動作電力が浴室リモコンＲ２から供給される状態で、運転制御部Ｃにより開閉作動が制御されるように構成されていることから、開閉弁９２に対する配線作業は、その開閉弁９２に対して近くに設けられる浴室リモコンＲ２との間で行えば良く、開閉弁９２と運転制御部Ｃとの間で配線作業を行う必要がないので、配線作業を容易化することができる。
【００８９】
以下、前記運転制御部Ｃの制御動作について説明する。
図７に示すように、メインリモコンＲ１及び浴室リモコンＲ２（但し、メインリモコンＲ１についてのみ図示）には、上記の第１実施形態において設けられたスイッチに加えて、半身浴用水位調節運転を指令する半身浴スイッチ８９が設けられている。
そして、運転制御部Ｃは、第１実施形態において説明した複数の運転に加えて、半身浴スイッチ８９が操作されると半身浴用水位調節運転を実行するように構成され、又、運転制御部Ｃには、通常の入浴用の水位よりも低い水位（例えば、浴槽Ｙの底面から３０ｃｍの高さ）に設定された半身浴用設定水位が予め記憶されている。
【００９０】
運転制御部Ｃは、半身浴用水位調節運転では、水位センサ３４の検出水位が半身浴用設定水位よりも低い場合は、水位センサ３４の検出水位が半身浴用設定水位以上になるまで第１実施形態と同様の湯張り運転を実行し、水位センサ３４の検出水位が半身浴用設定水位よりも高い場合は、前記開閉弁９２を開弁し、水位センサ３４の検出水位が半身浴用設定水位以下になると開閉弁９２を閉弁する。
【００９１】
つまり、浴槽Ｙの水位が半身浴用設定水位よりも高いときに、半身浴スイッチ８９を操作すると、開閉弁９２が開弁されて、浴槽Ｙの水位が半身浴用設定水位以下になるまで、浴槽Ｙの湯水が浴槽側継手７０の浴槽水排水部７９から浴槽水排水管９１を通して排出されることになる。
従って、通常の入浴用の水位で入浴した人の後に、別の人が半身浴にて入浴するときは、半身浴スイッチ８９を操作すると、浴槽Ｙの水位が自動的に半身浴用の水位に調節されることになり、使い勝手が向上する。
【００９２】
〔第３実施形態〕
以下、本発明に係る第３実施形態を図面に基づいて説明するが、この第３実施形態は、前記浴槽往き外管３１ｂ、前記浴槽戻り外管３２ｂ及び前記ドレン排水管４を配管する作業以外は上記の第１実施形態及び第２実施形態と同様であるので、第１実施形態及び第２実施形態と同じ構成要素や同じ作用を有する構成要素については、同じ符号を付すことにより説明を省略し、主として、第１実施形態及び第２実施形態と異なる構成を説明する。
【００９３】
この第３実施形態では、浴槽往き外管３１ｂ、浴槽戻り外管３２ｂ及びドレン排水管４を配管する作業を、熱源機から供給される湯水の水圧を利用してドレン排水管４を浴槽用湯水管Ｐとしての浴槽用戻り外管３２ｂに挿通させるドレン排水管挿通方法を用いて行う。
このドレン排水管挿通方法では、前記浴槽用戻り外管３２ｂの熱源機側の端部と前記熱源機側の接続部（熱源機Ｇの戻り用接続部４８）との間の管路部分に装着自在な中間装着体としての通管用継手１００、及び、前記浴槽用戻り外管３２ｂの浴槽側の端部と浴槽側の接続部（循環アダプタ３０の戻り用接続部３０ｂ）との間の管路部分に装着自在な浴槽側接続用継手１１０を使用するため、まず、通管用継手１００について説明する。
【００９４】
図１０に示すように、通管用継手１００は、熱源機側接続部１０１と浴槽用湯水管側接続部１０２とを内部通路１０３にて連通させる状態で備えて構成されている。
また、通管用継手１００には、内部通路１０３に通路長手方向と直交する方向に沿う状態で設けられた回転自在な回転軸１０４と、この回転軸を外部から回転操作するための操作部１０５とが設けられている。
そして、通管接続治具１００の回転軸１０４には、屈曲自在で長尺状の先挿通体１０７の端部側が巻回されて。この先挿通体１０７の前記回転軸１０４に巻回した側とは反対側の端部に、前記浴槽用戻り外管３２ｂの内部空間を移動自在で且つ移動方向視での面積が前記先挿通体１０７の横断面積よりも大きい被押圧体１０８が連結されている。
ちなみに、先挿通体１０７は、合成繊維製の糸にて構成されており、被押圧体１０８は、合成樹脂製の球体にて構成されている。尚、後述する後挿通体１０９は、先挿通体１０７よりも引張り強さが大きい金属製のワイヤにて構成されている。
【００９５】
通管用継手１００は、一端側の筒状の熱源機側接続部１０１と、他端側の筒状の浴槽用湯水管側接続部１０２と、それら熱源機側接続部１０１及び浴槽用湯水管側接続部１０２を連通する内部通路１０３とを直線状に連なる状態で備えるように構成されている。
筒状の浴槽用湯水管側接続部１０２は、前記浴槽戻り外管３２ｂが外嵌状態で接続可能なように構成され、その浴槽用湯水管側接続部１０２の内径は、ドレン排水管４を挿通可能なようにそのドレン排水管４の外径よりも大径となるように構成されている。
又、内部通路１０３の内径は、筒状の熱源機側接続部１０１の内径及び筒状の浴槽用湯水管側接続部１０２の内径よりも大径になるように構成されている。
【００９６】
前記通管用継手１００の熱源機側接続部１０１には、前記熱源機Ｇの戻り用接続部４８に螺合自在な袋ナット１０６が回動自在に支持されている。
又、通管用継手１００における浴槽用湯水管側接続部１０２の外周部には、それに外嵌される前記浴槽戻り外管３２ｂの抜け止めのために、接続部先端側ほど小径となる段部１０２ａの複数が接続部長手方向に並べて設けられている。
【００９７】
図１１に示すように、浴槽側接続用継手１１０は、一端側の筒状の浴槽側接続部１１１と、他端側の筒状の浴槽用湯水管側接続部１１２と、それら浴槽側接続部１１１及び浴槽用湯水管側接続部１１２を連通する内部通路１１３とを直線状に連なる状態で備えるように構成されている。
筒状の浴槽用湯水管側接続部１１２は、前記浴槽戻り用外管３２ｂが外嵌状態で接続可能なように構成され、その浴槽用湯水管側接続部１１２の内径は、ドレン排水管４を挿通可能なようにそのドレン排水管４の外径よりも大径となるように構成されている。
又、内部通路１１３の内径は、筒状の浴槽側接続部１１１の内径及び筒状の浴槽用湯水管側接続部１１２の内径よりも大径になるように構成されている。
【００９８】
前記浴槽側接続用継手１１０の浴槽側接続部１１１には、前記浴槽アダプタ３０の戻り用接続部３０ｂに螺合自在な袋ナット１１６が回動自在に支持されている。
又、浴槽側接続用継手１１０における浴槽用湯水管側接続部１１２の外周部には、それに外嵌される前記浴槽戻り外管３２ｂの抜け止めのために、接続部先端側ほど小径となる段部１１２ａの複数が接続部長手方向に並べて設けられている。
【００９９】
次に、風呂設備用配管構造の排水管挿通方法について説明する。
図１２に示すように、浴槽往き外管３１ｂ及び浴槽戻り外管３２ｂをさや管５１に入れた状態で床下に敷設する。
図１３に示すように、浴槽往き外管３１ｂの熱源機側の袋ナット４９を前記熱源機Ｇの前記往き用接続部４７に螺合し、浴槽側の袋ナット５０を前記循環アダプタ３０の往き用接続部３０ｆに螺合して、浴槽往き外管３１ｂを熱源機Ｇと循環アダプタ３０とに接続する。
【０１００】
続いて、通管用継手１００の熱源機側接続部１０１に支持された袋ナット１０６を熱源機Ｇの戻り用接続部４８に螺合し、通管用継手１００の浴槽湯水管側接続部１０２に、浴槽戻り外管３２ｂの熱源機側の端部を外嵌させた後にバンド部材５２にて締め付けて、浴槽戻り外管３２ｂを通管用継手１００を介して熱源機Ｇに接続する。
この浴槽戻り管３２ｂの熱源機Ｇへの接続について説明を加えると、このように浴槽戻り外管３２ｂを熱源機Ｇに接続するよりも前に、先挿通体１０７の端部に被押圧体１０８を連結し、先挿通体１０７の被押圧体１０８を接続した端部側とは反対側の部分を通管用継手１００の回転軸１０４に巻回しておき、浴槽戻り外管３２ｂを熱源機Ｇに接続する際に、被押圧体１０８を浴槽戻り外管３２ｂの熱源機側の端部からそれの内部空間に入れる。
また、浴槽側接続用継手１１０の浴槽側接続部１１１に支持された袋ナット１１６を循環アダプタ３０の戻り用接続部３０ｂに螺合し、浴槽側接続用継手１１０の浴槽湯水管接続部１１２に、浴槽戻り外管３２ｂの浴槽側の端部を外嵌させた後にバンド部材５２にて締め付けて、浴槽戻り外管３２ｂを浴槽側接続用継手１１０を介して循環アダプタ３０に接続する。
【０１０１】
続いて、図１４に示すように、湯張り電磁弁４２を開弁して、熱源機Ｇから浴槽側に浴槽往き外管３１ｂ及び浴槽戻り外管３２ｂの両方を通して湯水を供給し、その供給する湯水（浴槽戻り外管３２ｂを通して供給される湯水）の水圧にて、前記被押圧体１０８を浴槽側に移動させ、予めフィルタ等を取り外しておいた循環アダプタ３０から被押圧体１０８を浴槽内まで移動させて、前記浴槽戻り外管３２ｂ内に前記先挿通体１０７を挿通させることにより、先挿通体１０７の熱源機側の端部が浴槽戻り外管３２ｂの熱源機側の端部から外部に突出し且つ浴槽側の端部が浴槽戻り外管３２ｂの浴槽側端部から外部に突出した状態とする。
【０１０２】
続いて、湯張り電磁弁４２を閉弁して湯水の供給を停止した後、図１５に示すように、先挿通体１０７の浴槽側の端部に後挿通体１０９の熱源機側の端部を接続するとともに、通管用継手１００を熱源機Ｇの戻り用接続部４８並びに浴槽戻り外管３２ｂの熱源機側の端部から離脱させて通管用継手１００を取り外し、前記先挿通体１０７の熱源機側の端部を引き操作して、前記浴槽戻り外管３２ｂ内に前記後挿通体１０９を挿通させることにより、後挿通体１０９の熱源機側の端部が浴槽戻り外管３２ｂの熱源機側端部から外部に突出し且つ浴槽側の端部が浴槽戻り外管３２ｂの浴槽側端部から外部に突出した状態とする。
【０１０３】
そして、図１６に示すように、後挿通体１０９の浴槽側の端部にドレン排水管４の熱源機側の端部を接続し、前記後挿通体１０９の熱源機側の端部を引き操作して、前記浴槽戻り外管３２ｂ内に前記ドレン排水管４を挿通させることにより、図１７に示すように、ドレン排水管４の熱源機側の端部が浴槽戻り外管３２ｂの熱源機側の端部から外部に突出し且つ浴槽側の端部が浴槽戻り外管３２ｂの浴槽側端部から外部に突出した状態とした後、ドレン排水管４から後挿通体１０９を離脱させる。
【０１０４】
その後は、図５に示すように、ドレン排水管４の熱源機側の端部を、熱源機側継手６０の浴槽用湯水管側接続部６２に差し込んで、ドレン排水管４をドレン排水管挿通部６４から外部に突出させ、そのドレン排水管４の突出部分を熱源機側継手６０の封止部材６５における袋ナット６７の挿通孔６７ａに挿通させた後、熱源機側継手６０の熱源機側接続部６１に支持された袋ナット６６を熱源機Ｇの戻り用接続部４８に螺合し、熱源機側継手６０の浴槽湯水管側接続部６２に、浴槽戻り外管３２ｂの熱源機側の端部を外嵌させた状態でバンド部材５２にて締め付けて、浴槽戻り外管３２ｂを熱源機側継手６０を介して熱源機Ｇに接続する。
また、ドレン排水管４の浴槽側の端部を、浴槽側継手７０の浴槽用湯水管側接続部７２に差し込んで、ドレン排水管４をドレン排水管挿通部７４から外部に突出させ、そのドレン排水管４の突出部分を浴槽側継手７０の封止部材７５における袋ナット７７の挿通孔７７ａに挿通させた後、浴槽側継手７０の熱源機側接続部７１に支持された袋ナット６６を循環アダプタ３０の戻り用接続部３０ｂに螺合し、浴槽側継手７０の浴槽湯水管側接続部７２に、浴槽戻り外管３２ｂの熱源機側の端部を外嵌させた状態でバンド部材５２にて締め付けて、浴槽戻り外管３２ｂを浴槽側継手７０を介して循環アダプタ３０に接続する。
【０１０５】
〔第４実施形態〕
以下、本発明に係る第４実施形態を図面に基づいて説明するが、この第４実施形態は、風呂設備用配管構造の排水管挿通方法において、先挿通体１０７と後挿通体１０９との２本に代えて挿通体１２４の１本を用いる以外は上記の第３実施形態と同様であるので、第３実施形態と同じ構成要素や同じ作用を有する構成要素については、同じ符号を付すことにより説明を省略し、主として、第３実施形態と異なる構成を説明する。
【０１０６】
まず、第３実施形態と同様に、図１４に示すように、湯張り電磁弁４２を開弁して、熱源機Ｇから浴槽側に浴槽往き外管３１ｂ及び浴槽戻り外管３２ｂの両方を通して湯水を供給し、挿通体１２４の熱源機側の端部が浴槽戻り外管３２ｂの熱源機側の端部から外部に突出し且つ浴槽側の端部が浴槽戻り外管３２ｂの浴槽側端部から外部に突出した状態から、湯張り電磁弁４２を閉弁して湯水の供給を停止させる。
その後、図１８に示すように、挿通体１２４の浴槽側の端部にドレン排水管４の熱源機側の端部を接続し、前記挿通体１２４の熱源機側の端部を引き操作して、前記浴槽戻り外管３２ｂ内に前記ドレン排水管４を挿通させることにより、図１９に示すように、ドレン排水管４の熱源機側の端部が浴槽戻り外管３２ｂの熱源機側の端部から外部に突出し且つ浴槽側の端部が浴槽戻り外管３２ｂの浴槽側端部から外部に突出した状態とした後、ドレン排水管４から挿通体１２４を離脱させる。
ちなみに、挿通体１２４としては、先挿通体１０７と同じ合成繊維製の糸やそれより引っ張り強さが強いものでもよく、熱源機Ｇから供給される湯水の水圧にて浴槽戻り外管３２ｂに挿通させることができ且つドレン排水管４を引き操作しても切断しないものであればよい。
【０１０７】
つまり、この第４実施形態は、例えば、浴槽戻り外管３２ｂが短い場合や屈曲する箇所が少ない等によりドレン配管４を浴槽戻り外管３２ｂに挿通させる際の抵抗が小さく、熱源機Ｇから供給される湯水の水圧にて浴槽戻り外管３２ｂに挿通させた挿通体１２４の端部にドレン排水管４を接続し、その挿通体１２４の端部を引き操作しても挿通体１２４が切断しない場合に、挿通体１２４を熱源機から供給される湯水にて浴槽戻り外管に挿通させ且つその挿通体１２４にてドレン排水管４を引き操作することにより、ドレン排水管４を少ない手順で挿通させるものである。
【０１０８】
〔第５実施形態〕
以下、本発明に係る第５実施形態を図面に基づいて説明するが、この第５実施形態は、通管用継手１００に代えて通管用挾持体１２０と熱源機側接続用継手１３０とを用いる以外は上記の第３及び第４実施形態と同様であるので、第３及び第４実施形態と同じ構成要素や同じ作用を有する構成要素については、同じ符号を付すことにより説明を省略し、主として、第３及び第４実施形態と異なる構成を説明する。
【０１０９】
図２０に示すように、通管用挾持体１２０は、リング状の被挾持部分１２１とこの内部空間に位置するように被挾持部分１２１に回転自在に連結支持された回転軸１２２とが設けられている。
通管用挾持体１２０の回転軸１２２には、屈曲自在で長尺状の先挿通体１０７（又は挿通体１２４）の端部側が巻回されて、この先挿通体１０７（又は挿通体１２４）の前記回転軸１０４に巻回した側とは反対側の端部に被押圧体１０８が連結されている。
【０１１０】
また、熱源機側接続用継手１３０は、熱源機側接続部１３１、浴槽用湯水管側接続部１３２、内部通路１３３、及び、袋ナット１３６を備えて浴槽側接続用継手１１０と同様に構成されている。
つまり、熱源機側接続用継手１３０と浴槽側接続用継手１１０とは同じ接続継手が用いられており、浴槽戻り外管３２ｂの熱源機側端部及び熱源機Ｇの戻り用接続部４８に接続する接続継手が熱源機側接続継手であり、浴槽戻り外管３２ｂの浴槽側端部及び前記浴槽アダプタ３０の戻り用接続部３０ｂに接続する接続継手が浴槽側接続継手である。
【０１１１】
そして、第３及び第４実施形態では、浴槽戻り外管３２ｂを通管用継手１００を介して熱源機Ｇに接続したが、この第５実施形態では、熱源機側接続用継手１３０の熱源機側接続部１３１に支持された袋ナット１０６を熱源機Ｇの戻り用接続部４８に螺合し、熱源機側接続用継手１３０の浴槽湯水管側接続部１３２に、浴槽戻り外管３２ｂの熱源機側の端部を外嵌させた後にバンド部材５２にて締め付けて、浴槽戻り外管３２ｂを熱源機側接続継手１００を介して熱源機Ｇに接続する。
この浴槽戻り外管３２ｂの熱源機Ｇへの接続について説明を加えると、このように浴槽戻り外管３２ｂを熱源機Ｇに接続するよりも前に、先挿通体１０７（又は挿通体１２４）の端部に被押圧体１０８を連結し、先挿通体１０７（又は挿通体１２４）の被押圧体１０８を接続した端部側とは反対側の部分を通管用挾持体１２０の回転軸１２２に巻回しておき、浴槽戻り外管３２ｂを熱源機Ｇに接続する際に、熱源機側接続用継手１３０の熱源機側端部と熱源機Ｇの戻り用接続部４８との間に挾持するとともに、被押圧体１０８を浴槽戻り外管３２ｂの熱源機側の端部からそれの内部空間に入れる。
【０１１２】
〔別実施形態〕
次に別実施形態を説明する。
（イ）  熱源機側継手６０における筒状の熱源機側接続部６１、筒状の浴槽用湯水管側接続部６２、筒状のドレン排水管挿通部６４の配置形態は、上記の実施形態において例示した配置形態、即ち、熱源機側接続部６１と浴槽用湯水管側接続部６２とが直線状に連なり、且つ、浴槽用湯水管側接続部６２の筒軸芯とドレン排水管挿通部６４の筒軸芯とが９０°よりも大きい角度で交差するように配置される形態に限定されるものではない。
例えば、浴槽用湯水管側接続部６２とドレン排水管挿通部６４とが直線状に連なり、且つ、熱源機側接続部６１の筒軸芯と浴槽用湯水管側接続部６２の筒軸芯とが９０°よりも大きい角度で交差するように配置される形態、あるいは、熱源機側接続部６１、浴槽用湯水管側接続部６２、ドレン排水管挿通部６４がＹ字状になるように配置される形態等、種々の配置形態を採用することができる。
浴槽側継手７０における筒状の浴槽側接続部７１、筒状の浴槽用湯水管側接続部７２、筒状のドレン排水管挿通部７４の配置形態も、上述した熱源機側継手６０と同様に、種々の配置形態を採用することができる。
【０１１３】
（ロ）  熱源機側継手６０の熱源機側接続部６１、浴槽用湯水管側接続部６２及びドレン排水管挿通部６４夫々の形状は、上記の実施形態において例示した形状に限定されるものではなく、種々の形状を採用することができる。
例えば、熱源機側接続部６１を、外周部に接続部先端側ほど小径となる段部の複数が接続部長手方向に並べて設けられた筒状に構成して、その筒状の熱源機側接続部６１に管部材を外嵌状に接続して、その管部材を熱源機Ｇに接続することにより、熱源機側接続部６１を熱源機Ｇに対して間接的に接続するように構成しても良い。
浴槽用湯水管側接続部６２を、浴槽戻り外管３２ｂに回動自在に支持された袋ナットが螺合されるように構成して、その袋ナットが螺合されることにより浴槽用湯水管側接続部６２に浴槽戻り外管３２ｂが接続されるように構成しても良い。
ドレン排水管挿通部６４を、内部通路６３に連通するように熱源機側継手６０の側壁に形成された孔にて構成しても良い。
浴槽側継手７０の浴槽側接続部７１、浴槽用湯水管側接続部７２及びドレン排水管挿通部７４夫々の形状も、上述した熱源機側継手６０と同様に種々の形状を採用することができる。
【０１１４】
（ハ）  熱源機側継手６０及び浴槽側継手７０夫々に設けるドレン排水管案内部６４ａ、７４ａの具体構成は、上記の実施形態において例示した構成に限定されるものではない。
例えば、筒状のドレン排水管挿通部６４，７４における内部通路側の端面が、内部通路６３，７３の内面と面一になるように構成し、ドレン排水管挿通部６４，７４の内部通路側端部のうちで、前記内部通路６３，７３の通路長手方向において前記浴槽用湯水管側接続部６２，７２から離れる側に位置する部分から前記内部通路６３，７３内に延びるように、突起部を設けて、その突起部にてドレン排水管案内部６４ａ、７４ａを構成するようにしても良い。
【０１１５】
（ニ）  熱源機側継手６０を、樹脂成形により、熱源機側接続部６１、浴槽用湯水管側接続部６２、内部通路６３及びドレン排水管挿通部６４を一体的に備える状態に形成し、浴槽側継手７０を、樹脂成形により、浴槽側接続部７１、浴槽用湯水管側接続部７２、内部通路７３及びドレン排水管挿通部７４を一体的に備える状態に形成しても良い。
又、浴槽側継手７０を、樹脂成形により、浴槽側接続部７１、浴槽用湯水管側接続部７２、内部通路７３、ドレン排水管挿通部７４及び浴槽水排水部７９を一体的に備える状態に形成しても良い。
【０１１６】
（ホ）  ドレン排水管４を配管するに当たって、上記の実施形態においては、熱源機側継手６０のドレン排水管挿通部６４から挿入して、浴槽側継手７０のドレン排水管挿通部７４から外部に突出させるように作業する場合について例示したが、逆に、浴槽側継手７０のドレン排水管挿通部７４から挿入して、熱源機側継手６０のドレン排水管挿通部６４から外部に突出させるように作業するようにしても良い。
【０１１７】
（ヘ）  ドレン排水管４を配管する手順は、上記の実施形態において例示した手順に限定されるものではない。
例えば、以下のような手順で配管することができる。
即ち、ドレン排水管４をその両端が浴槽戻り外管３２ｂから突出する状態で浴槽戻り外管３２ｂ内に挿通する。
そして、浴槽戻り外管３２ｂの熱源機側の端部から突出しているドレン排水管４を、熱源機側継手６０の浴槽湯水管側接続部６２から挿入してその浴槽湯水管側接続部６２を通過させて、ドレン排水管挿通部６４にその内部通路側から挿通したのち、浴槽戻り外管３２ｂの熱源機側の端部を浴槽湯水管側接続部６２に外嵌させて、バンド部材５２にて締め付ける。
又、浴槽戻り外管３２ｂの浴槽側の端部から突出しているドレン排水管４を、浴槽側継手７０の浴槽湯水管側接続部７２から挿入してその浴槽湯水管側接続部７２を通過させて、ドレン排水管挿通部７４にその内部通路側から挿通したのち、浴槽戻り外管３２ｂの浴槽側の端部を浴槽湯水管側接続部７２に外嵌させて、バンド部材５２にて締め付ける。
【０１１８】
（ト）  上記の実施形態においては、本発明に係る風呂設備用配管構造にてドレン排水管４を配管する場合に、浴槽用湯水管Ｐとしての浴槽往き外管３１ｂ及び浴槽戻り外管３２ｂのうち、浴槽戻り外管３２ｂを用いる場合について例示したが、浴槽往き外管３１ｂを用いても良い。
【０１１９】
（チ）  上記の第２実施形態においては、電磁式の開閉弁９２を浴槽水排水部７９に接続された浴槽水排水管９１に設ける場合について例示したが、電磁式の開閉弁９２を浴槽水排水部７９に直接設けても良い。
【０１２０】
（リ）  風呂設備の具体構成としては、上記の実施形態において例示した構成に限定されるものではない。
例えば、上記の実施形態においては、温水循環用動作部Ｂとして、熱消費端末Ｔに循環供給する湯水を加熱する構成及び浴槽Ｙを追焚きする構成の両構成を備えるように構成する場合について例示したが、単に、浴槽Ｙの湯水を追焚きする構成のみを備えるように構成しても良い。
この場合、浴槽用戻り路３２を循環アダプタ３０の戻り用接続部３０ｂと温水循環用動作部Ｂの潜熱回収熱交換器Ｎ２とに接続し、浴槽用往き路３１を温水循環用動作部Ｂの主熱交換器Ｎ１と循環アダプタ３０の往き用接続部３０ｆとに接続し、湯張り路４１は、上記の実施形態と同様に、浴槽用戻り路３２に接続する。
【０１２１】
又、温水循環用動作部Ｂを省略して、湯張り路４１を浴槽Ｙに直結するように構成しても良い。この場合、湯張り路４１が浴槽用湯水管Ｐに相当することになり、本発明に係る風呂設備用配管構造にてドレン排水管４を配管するに当たっては、その湯張り路４１を用いることになる。
この場合、通常の入浴用の温度よりも高温の湯を湯張り路４１を通して浴槽Ｙに供給して、風呂を追焚することになる。
そして、浴槽側継手７０としては、上記の第２実施形態において説明したものを適用して、運転制御部Ｃを、水位センサ３４の検出水位が水位設定スイッチ８５にて設定された設定水位よりも高いときには、水位センサ３４の検出水位が水位設定スイッチ８５にて設定された設定水位以下になるまで電磁式の開閉弁９２を開弁するように構成する。
つまり、追焚により浴槽Ｙの水位が水位設定スイッチ８５による設定水位よりも高くなると、水位センサ３４の検出水位が水位設定スイッチ８５にて設定された設定水位以下になるまで、電磁式の開閉弁９２が開弁されて、浴槽Ｙの湯水が排出されることになる。
【０１２２】
（ヌ）  上記第３〜第５実施形態では、風呂設備用配管構造のドレン排水管挿通方法を風呂設備を新規に設置する場合に適応したが、風呂設備用配管構造のドレン排水管挿通方法を既設の風呂設備に適応することもできる。
【０１２３】
（ル）  上記第３〜第５実施形態では、湯張り路４１を通して供給される湯水が浴槽用行き路３１及び浴槽用戻り路３２の両方を通して浴槽Ｙに供給される両搬送湯張りタイプにおいて、ドレン排水管４を浴槽用戻り路３２に挿通させたが、ドレン排水管４を浴槽用行き路３１に挿通させてもよい。ちなみに、湯張り路４１を通して供給される湯水が浴槽用行き路３１のみを通して浴槽Ｙに供給される片搬送湯張りタイプでは、ドレン排水管４を浴槽用行き路３１に挿通させる。
【０１２４】
（ヲ）  上記第３〜第５実施形態では、被押圧体１０８を浴槽用湯水管Ｐ内に入れた状態で、湯張り電磁弁４２を開弁して、湯水の供給を開始した時点に既に被押圧体１０８を浴槽用湯水管Ｐ内に入れた状態としたが、被押圧体１０８が浴槽用湯水管Ｐ内よりも熱源機側に位置する状態で湯張り電磁弁４２を開弁し、供給する湯水の水圧にて被押圧体１０８を浴槽側に移動させて浴槽用湯水管Ｐ内に入れ、この状態で更に、湯水を供給して、被押圧体１０８を浴槽側に移動させてもよい。
ちなみに、上記第３〜第５実施形態では、被押圧体を球体としたが、円すい等、他の形状でもよい。
【０１２５】
（ワ）  上記第３及び第４実施形態では、通管用継手１００の熱源機側接続部１０１を熱源機Ｇの戻り用接続部４８に直接的に接続し、通管用継手１００の浴槽用湯水管側接続部１０２を浴槽用湯水管Ｐの熱源機側端部に直接的に接続したが、通管用継手１００の熱源機側接続部１０１を、熱源機Ｇの戻り用接続部４８に接続した継手や管に接続して熱源機Ｇの戻り用接続部４８に間接的に接続してもよく、通管用継手１００の浴槽用湯水管側接続部１０２を、浴槽用湯水管Ｐの熱源機側端部に接続した継手や管に接続して浴槽用湯水管Ｐの熱源機側端部に間接的に接続してもよい。
ちなみに、上記継手としては、熱源機側継手６０でもよい。
また、上記第５実施形態では、通管用挾持体１２０を、熱源機側接続用継手１３０の熱源機側端部と熱源機Ｇの戻り用接続部４８とで挾持したが、熱源機Ｇと浴槽用湯水管Ｐとの間で互いに接続される継手や管の間に挾持すればよく、例えば、熱源機側継手６０の熱源機側接続部６１と熱源機Ｇの戻り用接続部４８とで挾持してもよい。
【図面の簡単な説明】
【０１２６】
【図１】第１実施形態に係る風呂設備の全体構成を示すブロック図
【図２】第１実施形態に係る風呂設備の全体構成を示す概略図
【図３】第１実施形態に係る熱源機側継手の構成を示す断面図
【図４】第１実施形態に係る浴槽側継手の構成を示す断面図
【図５】第１実施形態に係る熱源機側継手及び浴槽側継手の構成を示す断面図
【図６】さや管を用いた配管構造を示す図
【図７】第２実施形態に係る風呂設備の全体構成を示すブロック図
【図８】第２実施形態に係る風呂設備の全体構成を示す概略図
【図９】第２実施形態に係る浴槽側継手の構成を示す断面図
【図１０】第３実施形態に係る通管用継手の構成を示す断面図
【図１１】第３実施形態に係る浴槽側接続用継手の構成を示す断面図
【図１２】第３実施形態に係るさや管を用いた配管構造を示す図
【図１３】第３実施形態に係る風呂設備の全体構造を示す概略図
【図１４】第３実施形態に係るドレン排水管挿通方法の説明図
【図１５】第３実施形態に係るドレン排水管挿通方法の説明図
【図１６】第３実施形態に係るドレン排水管挿通方法の説明図
【図１７】第３実施形態の係るドレン排水管挿通方法の説明図
【図１８】第４実施形態に係るドレン排水管挿通方法の説明図
【図１９】第４実施形態の係るドレン排水管挿通方法の説明図
【図２０】第５実施形態における通管用挾持体を示す図
【符号の説明】
【０１２７】
４      ドレン排水管
６０    熱源機側継手
６１    熱源機側接続部
６２    浴槽用湯水管側接続部
６３    内部通路
６４    ドレン排水管挿通部
６４ａ  ドレン排水管案内部
６５    封止部材
７０    浴槽側継手
７１    浴槽側接続部
７２    浴槽用湯水管側接続部
７３    内部通路
７４    ドレン排水管挿通部
７４ａ  ドレン排水管案内部
７５    封止部材
７９    浴槽水排水部
９１    浴槽水排水管
９２    電磁式の開閉弁
１０７  先挿通体
１０８  被押圧体
１０９  後押圧体
１２４  挿通体
Ｇ      熱源機
Ｎ２    潜熱回収式の熱交換器
Ｐ      浴槽用湯水管
Ｙ      浴槽
【図１】
0005117886.tif 000002
【図２】
0005117886.tif 000003
【図３】
0005117886.tif 000004
【図４】
0005117886.tif 000005
【図５】
0005117886.tif 000006
【図６】
0005117886.tif 000007
【図７】
0005117886.tif 000008
【図８】
0005117886.tif 000009
【図９】
0005117886.tif 000010
【図１０】
0005117886.tif 000011
【図１１】
0005117886.tif 000012
【図１２】
0005117886.tif 000013
【図１３】
0005117886.tif 000014
【図１４】
0005117886.tif 000015
【図１５】
0005117886.tif 000016
【図１６】
0005117886.tif 000017
【図１７】
0005117886.tif 000018
【図１８】
0005117886.tif 000019
【図１９】
0005117886.tif 000020
【図２０】
0005117886.tif 000021